(57)【要約】【課題】  ロックレバーを簡単に移動させることのできるビンディングを提供する。【解決手段】  スノーボードのビンディング（１００）は、回動可能なハイバック（１２０）を備えたベース板（１０２）を有する。ロックレバー（１３０）は、ハイバックの後部に配置され、所望の最大傾き角でハイバックを直立位置でロックする。ストラップ（１４０）やパネル（２０２）の弾性部材、コードガイド（２０４）及びコード（２０６）は、ハイバックやロックレバーに取り付けられ、ロックレバーを開位置及びロック位置間で移動させる。ベース板は、一対の回動可能な側壁（１０４）を有し、ハイバックは、ヒールループ（１１２）を介してベース板に取り付けられる。ハイバックが直立位置に移動したときに、ストラップ（１０８，１１０）が移動してブーツ（９０）と係合する。【選択図】  図１
2006305329.tif 000002
【特許請求の範囲】
【請求項１】
スノーボードに取り付けられるベースユニットと、
前記ベースユニットに対して回動可能に取り付けられるハイバックと、
前記ハイバックの後側に回動可能に取り付けられ、近接端部および先端部を有し、前記先端部が前記ハイバックから離れた位置にある開位置と、前記先端部が前記ハイバックの近傍に位置するロック位置との間で回動可能なロックレバーと、
前記ロックレバーの近接端部の近傍において前記ハイバックに取り付けられる第１部分と、前記ロックレバーの近接端部から離れた位置において前記ロックレバーに取り付けられる第２部分とを有する弾性部材とを備え、
前記ロックレバーは、前記弾性部材を上方に引っ張ることにより、前記開位置から前記ロック位置に移動可能であることを特徴とするビンディング。
【請求項２】
前記弾性部材は、細長いストラップであることを特徴とする請求項１に記載のビンディング。
【請求項３】
前記細長いストラップは、高分子材料で形成されていることを特徴とする請求項２に記載のビンディング。
【請求項４】
前記ベースユニットに回動可能に取り付けられるＵ字形状のヒールループを有し、
前記ハイバックは、前記ヒールループを介して、前記ベースユニットに回動可能に取り付けられていることを特徴とする請求項１に記載のビンディング。
【請求項５】
前記ベースユニットは、ベース板と、該ベース板に回動可能に取り付けられ、互いに向かい合う一対の側壁とを有しており、
前記一対の側壁は、この間において調節可能なインステップストラップを支持しているとともに、前記ベースユニットに対するヒールループの回動によって前記側壁が回動するように、前記ヒールループに回動可能に取り付けられていることを特徴とする請求項４に記載のビンディング。
【請求項６】
前記一対の側壁のうち一方の側壁に取り付けられる第１の端部と、他方の側壁に取り付けられる第２の端部とを有するケーブルを備え、
前記ケーブルは、前記ハイバック周りに延びて、前記ロックレバーと係合することを特徴とする請求項５に記載のビンディング。
【請求項７】
前記ヒールループに固定される、少なくとも１つのケーブルガイドを有し、
前記ケーブルは、前記ケーブルガイドに係合することを特徴とする請求項６に記載のビンディング。
【請求項８】
前記ロックレバーが前記ロック位置にある場合において、前記ケーブルは、前記ケーブルガイドに対して上方に向かう力を付与するように、張力を持った状態で配置されていることを特徴とする請求項７に記載のビンディング。
【請求項９】
下端部が前記ヒールループの上端に当接するように、前記ハイバックに対して調節可能に取り付けられた回動制限部材を有することを特徴とする請求項１から８のいずれかに記載のビンディング。
【請求項１０】
前記弾性部材は、
開口部を備えたコードガイドを有し、前記ロックレバーの近接端部から上方に延びる半剛性のパネルと、
前記ロックレバーに取り付けられる第１の端部を有し、前記コードガイドの開口部を介して延びるコードとを有することを特徴とする請求項１に記載のビンディング。
【請求項１１】
前記弾性部材は、前記コードの第２の端部に取り付けられるグリップ部材を有することを特徴とする請求項１０に記載のビンディング。
【請求項１２】
前記グリップ部材は、革製のループであることを特徴とする請求項１１に記載のビンディング。
【請求項１３】
前記ベースユニットに回動可能に取り付けられるＵ字形状のヒールループを有し、
前記ハイバックは、前記ヒールループを介して前記ベースユニットに回動可能に取り付けられていることを特徴とする請求項１１に記載のビンディング。
【請求項１４】
前記ベースユニットは、ベース板と、該ベース板に回動可能に取り付けられ、互いに向かい合って配置される一対の側壁とを有し、
前記一対の側壁は、この間において調節可能なインステップストラップを支持するとともに、前記ベースユニットに対する前記ヒールループの回動によって前記側壁が回動するように、前記ヒールループに対して回動可能に取り付けられていることを特徴とする請求項１３に記載のビンディング。
【請求項１５】
前記一対の側壁のうち一方の側壁に取り付けられる第１の端部と、他方の側壁に取り付けられる第２の端部とを有するケーブルを備え、
前記ケーブルは、前記ハイバック周りに延びて、前記ロックレバーと係合することを特徴とする請求項１４に記載のビンディング。
【請求項１６】
前記ヒールループに固定される、少なくとも１つのケーブルガイドを有し、
前記ケーブルが、前記ケーブルガイドと係合することを特徴とする請求項１５に記載のビンディング。
【請求項１７】
前記ロックレバーが前記ロック位置にある場合において、前記ケーブルは、前記ケーブルガイドに対して上方の力を付与するように、張力を持った状態で配置されていることを特徴とする請求項１６に記載のビンディング。
【請求項１８】
下端部が前記ヒールループの上端に当接するように、前記ハイバックに対して調節可能に取り付けられる回動制限部材を有することを特徴とする請求項１０から１７のいずれかに記載のビンディング。
【請求項１９】
スノーボードに取り付けられるベース板と、互いに向かい合って配置された側壁とを有するベースユニットと、
前記側壁に回動可能に取り付けられるハイバックと、
前記ハイバックに回動可能に取り付けられ、開位置およびロック位置間で移動可能なロックレバーと、
前記ベースユニットに取り付けられる第１及び第２の端部を有し、前記ロックレバーに設けられた溝部を介して延びるケーブルと、
前記ハイバックに取り付けられ、コードガイドを有する半剛性のパネルと、
前記ロックレバーに取り付けられる第１の端部と、グリップ部材が設けられる第２の端部とを備え、前記コードガイドを介して延びるコードとを有し、
前記ロックレバーは、前記グリップ部材を上方に引っ張ることにより、前記開位置から前記ロック位置に移動可能であることを特徴とするスノーボードのビンディング。
【発明の詳細な説明】
【技術分野】
【０００１】
本発明は、スポーツ器具に用いられるビンディングであって、具体的には、スノーボード用のビンディングに関するものである。
【背景技術】
【０００２】
従来、主にスポーツ用の滑走ボードは、スノーボード、雪上スキー、水上スキー等のスポーツ業界において、よく知られている。様々なタイプのビンディングが開発されており、使用者は、これらのビンディングを滑走ボードに取り付けることができる。ここでは、好まし実施例であるスノーボードのビンディングについて説明するが、本発明のビンディングは、他の滑走ボードにも適用することができる。
【０００３】
柔らかいスノーボードブーツとともに使用される、従来のスノーボードのビンディングシステムは、一般的に、ブーツのかかとと向かい合う剛性のハイバック部分と、ブーツをビンディングに固定するための１つ以上のストラップとを含むストラップ型のビンディングや、一般的に、使用者がブーツをビンディングに踏み込んで固定する、ストラップの無い１つ以上の係合部材を用いたステップイン型のビンディングに分類される。ストラップ型のビンディングは、最初に作られたものであり、スノーボードのビンディングとして最も知られているものである。そして、ストラップ型のビンディングは、調節可能であり、安定しており、足に馴染むものである。ステップイン型のビンディングによれば、使用者は、ブーツをスノーボードに容易に取り付けることができるとともに、ブーツをスノーボードから容易に取り外すことができる。
【０００４】
ストラップ型のビンディングやステップイン型のビンディングは、通常、スノーボードから上方に延びて回動可能であるハイバックの足首支持部を有している。使用者のブーツのうち、後側の足首部分は、ハイバックにおける曲率を有する前面部分と当接し、使用者がスノーボードのヒールエッジをコントロールすることができるようになっている。高速でターンを行う必要のあるアルペン競技の使用者では、高いエッジコントロールのために、比較的長くて硬いハイバックが好まれている。ここで、フリースタイルの使用者では、一般的に、より良い柔軟性のために、短いハイバックが好まれている。ハイバックとスノーボードとのなす角度（以下では、前側最大傾き角という）は、スノーボードの感触及びコントロールにおいて重要である。一般的に、前側最大傾き角は、使用者によって調節することができ、使用されるスノーボードのタイプ、雪の状態や傾斜状態といった、様々な要因に基づいて、特定の角度に設定される。
【０００５】
ハイバックを所望の前側最大傾き角に位置させるための機構は、一般的に、ハイバックの背面に配置されたレバー機構によって、所望の位置に固定される移動可能なユニットを有している。多くのビンディングは、傾きユニットの位置を解除したり、調節したりするスクリューを有しており、レバーやカムといった、工具を必要としない調節機構を利用している。例えば、Bowlesによって提案されている特許文献１に開示されたスノーボードのビンディングでは、前側に傾くハイバックを備え、ハイバックの後側において、摺動可能なユニットに取り付けられるレバー型のロック解除機構を有している。同様に、本出願人によって「Ｃｉｎｃｈ」として市販されている有名なスノーボードのビンディングでは、回動可能な側壁に連結されるケーブルと係合する、ハイバック装着型のロックレバーを用いている。このビンディングでは、ハイバック及びインステップストラップを、使用者のブーツ周りの位置に同時に移動させている。
【０００６】
使用者は、一般的に、スノーボードを行う場合において、使用者が斜面にいる間に、グローブをした手で、何度もビンディングへの取り付けや、取り外しを行わなければならない。一般的に、ビンディングへの取り付けや取り外しは、ハイバックの後側に配置されたレバーを用いることによって行われる。この係合レバーは、ハイバックの背面側に位置しており、係合レバーへの操作性は、他の器具や使用者の器具上に付着した雪によって制限されてしまう。これにより、レバーを、ロック解除位置とロック位置との間で移動させることが困難となってしまう。
【０００７】
また、レバーのロック解除位置は、地面に対して非常に低く、スノーボードの表面に近いため、使用者は、レバーを握ることが困難である。このため、レバーの端部に手を伸ばして、ビンディングへの取り付けを行うことは、物理的に困難である。また、ビンディングの係合レバーは、このレバーがロック状態にあるときに、ハイバックに対して低姿勢であること、例えば、平坦であったり、最小で延びていたりすることが好ましい。この低姿勢は、ビンディングの係合や係合解除を行うためのレバーを操作する上では、好ましくない。
【０００８】
従来では、上述した困難性を緩和するために、レバーを大きく長くしたり、レバーにラバーグリップを設けたりしている。しかしながら、このような試みは、効果的ではなく、実用的でもない。例えば、レバーを大型化すれば、ビンディングの重量が増加するとともに、コストアップしてしまう。そして、不注意でレバーを係合解除状態とさせるような外力が、上述した機構に作用しやすくなる。また、ラバーグリップが設けられたレバーでは、レバーを操作する際の困難性に対して適切に対応することができない。
【特許文献１】米国特許第５，７２７，７９７号明細書
【発明の開示】
【発明が解決しようとする課題】
【０００９】
このため、使用者が斜面にいながらもグローブをした手で、レバーをロック位置に簡単に移動させたり、ロック位置から簡単に移動させたりすることのできる、スノーボードのビンディング用のレバーロック機構を提供する必要がある。
【課題を解決するための手段】
【００１０】
本発明のスノーボードのビンディングは、スノーボードに取り付けられるベース板と、ベース板に回動可能に取り付けられるハイバックとを有している。ロックレバーは、ハイバックの後部に対して回動可能に取り付けられており、ブーツをビンディングから取り外すためにハイバックを後側に回動させることのできる開位置と、ブーツをビンディングに固定するために直立位置でハイバックをロックさせることのできるロック位置との間で回動する。弾性部材は、一端において、ロックレバーの回動端の近傍におけるハイバックに取り付けられているとともに、他端において、ロックレバーに取り付けられている。これにより、使用者は、弾性部材を単に引っ張ることで、ロックレバーを開位置及びロック位置間で移動させることができる。
【００１１】
本発明において、弾性部材として、ナイロンといった高分子材料で形成された細長のストラップを用いることができる。
【００１２】
本発明において、ビンディングは、Ｕ字形状のヒールループと、ハイバックに連結される回動可能な側壁とを有している。そして、ハイバックを開位置に回動させたときに、側壁上におけるインステップストラップ及びトゥーストラップは、ベース板から離れるように移動することで、ビンディングへの取り付けを容易にさせる。また、ハイバックが直立位置に回動したときに、すなわち、ロック部材がロック位置に移動したときに、上記ストラップは、下側に移動して、使用者のブーツと係合する。
【００１３】
本発明において、ビンディングは、一方の側壁に取り付けられる第１の端部と、他方の側壁に取り付けられる第２の端部とを備え、ハイバック周りに延びて、ヒールループに設けられたケーブルガイドと係合するケーブルを有している。このケーブルは、ロックレバーと係合しており、ロックレバーをロック位置に移動させるときに、ケーブルが引っ張られることで、閉位置においてビンディングを容易に固定させる。
【００１４】
本発明において、弾性部材は、ロックレバーから上方に延びて、コードガイドを有する、半剛性のパネルを有する。コードは、ロックレバーに取り付けられ、コードガイドの開口部を貫通して延びている。これにより、使用者は、コードを引っ張ることにより、ロックレバーを開位置およびロック位置間で移動させることができる。ここで、コードは、この端部において、グリップ部材を含んでいてもよい。
【発明の効果】
【００１５】
本発明のビンディングによれば、例えば、使用者が斜面にいながらもグローブをした手で、ロックレバーをロック位置に簡単に移動させたり、ロック位置から開位置に簡単に移動させたりすることができる。
【発明を実施するための最良の形態】
【００１６】
本発明の内容および本発明に付随する多くの効果は、図面に基づく以下の詳細な説明によって理解することができる。ここで、図面において、同じ部材については同一符号を用いている。
【実施例１】
【００１７】
本発明の実施例１であるスノーボードのビンディング１００の斜視図又は側面図を、図１及び図２Ａ〜図２Ｃに示す。
【００１８】
ビンディング１００は、従来の方法によって、スノーボード（不図示）の上面に取り付けられるベース板１０２を有している。一般的に、スノーボード上におけるベース板１０２の位置及び向きは、使用者や、使用者の意図する滑走の方式に適合するように調節することができる。
【００１９】
互いに向かい合うように配置された一対の側壁部材１０４（図では一方のみを示す）は、ベース板１０２の前側端部の近傍において、回動部材１０６によって回動可能に取り付けられている。トゥーストラップ１０８およびインステップストラップ１１０は、側壁部材１０４に取り付けられており、それぞれが、ラッチ機構１０９，１１１を有する。これにより、ストラップ１０８，１１０を用いて、使用者のブーツ９０（二点鎖線で示す）をビンディング１００に固定することができる。
【００２０】
Ｕ字形状のヒールループ１１２は、回動部材１１４によって、側壁部材１０４の両側に回動可能に取り付けられている。また、ヒールループ１１２は、複数の回動部材１１６（図２Ａにおいて、一方を示す）によって、ベース板１０２の両側において回動可能に取り付けられている。本実施例において、ビンディング１００は、互いに向かい合うように配置された一対のケーブルガイド１１８を有しており、これらのケーブルガイド１１８は、ヒールループ１１２に固定されている。
【００２１】
使用者のブーツ９０の後部（かかと側）に略沿った形状である回動可能なハイバック１２０は、互いに向かい合うように配置された一対の回動取り付け部材１２２（図２Ａでは、１つを示す）を介して、ヒールループ１１２に連結されており、回動取り付け部材１２２から上方に延びている。回動制限部材１２４は、ヒールループ１１２の上側端部１１３に当接することで位置決めされ、ヒールループ１１２に対するハイバック１２０の後側への回動を制限する下端部１２３を有している。ハイバック１２０とベース板１０２とのなす最大角（最大傾き角）は、ハイバック１２０における回動制限部材１２４の位置を摺動させて変化させることが変更することができ、この変更可能な範囲内において、適宜設定することができる。
【００２２】
ロックレバー１３０は、回動制限部材１２４の上端１２５の近傍において、回動制限部材１２４に回動可能に取り付けられている。ロックレバー１３０は、ハイバック１２０から離れて回動した開位置（図２Ｂ）と、ハイバック１２０の背面に概ね隣接するように回動したロック位置（図２Ｃ）との間で移動可能となっている。ケーブル１２６は、一方の側壁部材１０４に固定された付属部品１２８の位置から、この側壁部材１０４に沿って後方側に延びており、ハイバック１２０周りに位置している。
【００２３】
ここで、ケーブル１２６は、ロックレバー１３０の溝部１３６に係合しているとともに、ヒールループ１１２上に固定された複数のケーブルガイド１１８のうち一方のケーブルガイド１１８と摺動可能に係合している。そして、このケーブル１２６は、他方のケーブルガイド１１８とも摺動可能に係合しており、他方の側壁部材１０４（不図示）に取り付けられている。
【００２４】
ロックレバー１３０は、さらに、ロックレバー１３０の係合や係合解除を容易に行わせるための機構を有している。具体的には、図２Ａ〜図２Ｃにおいて最も明らかなように、ロックレバー１３０に弾性ストラップ１４０が設けられている。この弾性ストラップ１４０は、ロックレバー１３０の隣接端部１３４の近傍に取り付けられる第１の端部分１４２と、ロックレバー１３０の中間位置（溝部１３６に相当する位置）においてロックレバー１３０と係合し、ロックレバー１３０の先端１３２上に延びる第２の端部分１４４とを有している。
【００２５】
本実施例において、弾性ストラップ１４０における第１の端部分１４２は、ビンディング１００において、回動制限部材１２４及びハイバック１２０の間に固定されている。また、弾性ストラップ１４０における第２の端部分１４４は、支柱１３８によってロックレバー１３０に対して取り外し可能に取り付けられている。支柱１３８は、弾性ストラップ１４０における第２の端部分１４４で形成されるループにおいて、ロックレバー１３０の溝部１３６内に位置している。なお、従来の他の取り付け手段については、本発明の範囲から外れない限り、適用することができる。
【００２６】
ビンディング１００の一般的な動作については、図２Ａ〜図２Ｃを参照すれば理解することができる。ここで、図２Ａ〜図２Ｃはそれぞれ、開位置におけるビンディング１００の側面図、部分的な閉位置での側面図、ロック位置での側面図を示す。開位置において、ロックレバー１３０の先端部１３２は、ハイバック１２０から離れる方向（図２Ａの時計方向）に移動（回動）した位置にあり、ハイバック１２０は、後側に回動して、ビンディング１００に対するブーツ９０の取り付けを容易にしている。
【００２７】
ビンディング１００において、ハイバック１２０が後側に回動するとき、ヒールループ１１２は、回動部材１１６周り（図２Ａの時計方向）に回動する。これにより、側壁部材１０４は、回動部材１０６周り（図２Ａの反時計方向）に回動して、ストラップ１０８，１１０が、ベース板１０２から離れる方向に移動する。これにより、ビンディング１００に対するブーツ９０の取り付けを更に容易に行うことができる。
【００２８】
ビンディング１００にブーツ９０を取り付けた後、使用者は、図２Ｂの矢印８０で示すように、ストラップ１４０を上方に引っ張ることにより、ハイバック１２０をブーツ９０側に回動させる。ハイバック１２０の回動によってヒールループ１１２が移動（回動）すると、側壁部材１０４が下側に回動することにより、ストラップ１０８，１１０はブーツ９０側に移動する。
【００２９】
ストラップ１４０を上側及び前方側に引っ張り続けることにより、ロックレバー１３０は、図２Ｃに示すロック位置に位置することになる。これにより、ロックレバー１３０の先端部１３２は、ハイバック１２０に向かって回動する。このとき、ロックレバー１３０がケーブル１２６を上方に引っ張り、ケーブルガイド１１８に対して上方向に向かう力を発生させることにより、ヒールループ１１２を所定の位置に回動（図２Ｃの反時計方向に回動）させることができる。
【００３０】
一般的に、ストラップ１０８，１１０のラッチ機構１０９，１１１は、予め所望の設定状態に設定されており、ストラップ１０８，１１０は、上述したロックレバー１３０の係合によって、ブーツ９０周りで締め付けられて固定される。ここで、使用者は、ロックレバー１３０をロック位置に移動させた後に、ラッチ機構１０９，１１１を調節することができる。
【００３１】
上述したように、ハイバック１２０の背面におけるロックレバー１３０の位置や、使用者が斜面にいるときやグローブを着用しているときにロックレバー１３０を操作する必要性を考慮すると、従来のビンディングでは、ロックレバー１３０の先端部１３２に手を伸ばして、ロックレバー１３０をロック位置に移動させることが困難である。
【００３２】
一方、本実施例では、ロックレバー１３０に弾性ストラップ１４０を設けることにより、大きくて細長いループが形成され、使用者は、グローブを着用した手の１本以上の指で上記ループを簡単に持つことができる。そして、使用者は、弾性ストラップ１４０を前側及び上方に単に引っ張ることにより、ロックレバー１３０を図２Ａに示す開位置から図２Ｃに示すロック位置に回動させることができる。
【００３３】
しかも、本実施例によれば、使用者は、ロックレバー１３０をつかむ必要が無く、グローブを着用した手を、ロックレバー１３０の先端部１３２の後側に伸ばす必要が無い。さらに、使用者は、ストラップ１４０によって形成された大きなループを用いて後側に引っ張ることにより、ロックレバー１３０の係合解除を簡単に行うことができる。
【００３４】
例えば、使用者は、上記ループを全体としてつかんで後側に引っ張ったり、上記ループ内に指を入れて後側に引っ張ったりすることにより、ロックレバー１３０の係合解除を行うことができる。特に、使用者は、ロックレバー１３０の係合解除を行うために、ハイバック１２０において張力で保持されているロックレバー１３０の後側に、グローブを着用した手を伸ばす必要が無い。
【００３５】
また、ストラップ１４０により、ロックレバー１３０をロック位置に簡単に移動させることができる。これは、使用者が、開位置において地面（例えば、スノーボードの表面）に極めて近い位置にあるロックレバー１３０の端部の下に手を入れる必要がないからである。
【００３６】
弾性ストラップ１４０は、軽量であり、ビンディング１００内に容易に組み込むことができる。特に、弾性ストラップ１４０を用いることにより、小型のロックレバー１３０を用いることができる。これは、使用者が、グローブを着用した手で、ロックレバー１３０を直接操作する必要が無いからである。弾性ストラップは、スノーボードにおける低温及び凍結状態に対して耐久性のある、所定の強度を有する材料で形成することができる。本実施例において、弾性ストラップ１４０は、ナイロンといった、丈夫な高分子材料で形成されている。
【実施例２】
【００３７】
図３及び図４Ａ〜図４Ｃを用いて、本発明の実施例２について説明する。ここで、図３は、図１に示すビンディングと同様のビンディング２００の斜視図である。ロックレバーの係合機構を除き、本実施例のビンディング２００は、上述したビンディング１００と同様である。一般的に、本実施例のビンディング２００は、図１に示すビンディング１００と同じであるため、同じ部分については、本実施例の説明の簡略化及び明確化のために、省略する。
【００３８】
本実施例において、半剛性の弾性パネル２０２は、ハイバック１２０の後部に取り付けられている。パネル２０２の近接端部（基端）は、回動制限部材１２４及びハイバック１２０間において固定されており、この固定された部分から、パネル２０２が上方に延びている。開口部を有するガイド部材２０４は、弾性パネル２０２の先端部に取り付けられている。弾性コード２０６の一端部２０５は、ロックレバー１３０の中間位置において、ロックレバー１３０に取り付けられている。
【００３９】
コード２０６は、ガイド部材２０４の開口部を介して、上方に延びている。比較的大きなグリップ部材２１０は、コード２０６の第２の端部２０７に取り付けられている。本実施例において、グリップ部材２１０は、縫合された革製のループであるが、他の適切な材料を用いることもできる。この材料としては、例えば、高分子材料、頑丈な繊維材料がある。コード２０６は、天然繊維や、例えば、金属といった合成材料で形成することができる。
【００４０】
図４Ａ〜図４Ｃに示すビンディング２００の側面図において、これらの図は、ビンディング２００での係合過程を示す図である。使用者は、スノーボードに装着するために、まず、ハイバック１２０を後側に、一般的には図４Ａに示す位置まで回動させることにより、ビンディングを開く。ハイバック１２０を回動させると、側壁１０４が回動部材１０６周りに回動することにより、実施例１で説明したように、ストラップ１０８，１１０がベース板１０２から離れる方向に移動する。
【００４１】
そして、使用者は、ベース板１０２上にブーツ９０を挿入して、ブーツ９０を前方位置に摺動させる。また、図４Ｂの矢印８２で示すように、グリップ部材２１０を上方及び前側に引っ張る。ここで、グリップ部材２１０を上方等に引っ張ることにより、コード２０６も上方に引っ張られ、コード２０６は、ロックレバー１３０を上方に引っ張ることにより、ハイバック１２０が最大傾き角の位置に向けて回動する。このロックレバー１３０及びハイバック１２０の動作は、実施例１で説明した動作と同様である。
【００４２】
使用者は、ロックレバー１３０が図４Ｃに示すロック位置に移動するまで、グリップ部材２１０を引っ張る。上述したように、側壁１０４が、使用者のブーツ９０上の位置にストラップ１０８，１１０を移動させることにより、ブーツ９０は所定の位置に固定される。
【００４３】
ビンディング２００の係合を解除する場合には、使用者は、グリップ部材２１０を後側に引っ張る。これにより、パネル２０２は、グリップ部材２１０の操作に伴って発生する後側に向かう力をロックレバー１３０の先端部に与え、ロックレバー１３０が、開位置に向けて回動する。そして、使用者は、ハイバック１２０を後側に回動させることにより、ブーツ９０を取り外すことができる。
【００４４】
ここで、弾性パネル２０２は、２つの機能を有している。まず、ロックレバー１３０がロック位置にあり、使用者がグリップ部材２１０を後側に引っ張るときにロックレバー１３０の端部を押し込む力の下において、弾性パネル２０２は、ロックレバー１３０の係合解除動作を補助する。また、弾性パネル２０２は、ロックレバーを保持できる位置まで効率的に延びて、てこの作用を増加させることにより、ロックレバー１３０がロック位置に移動するのを補助する。
【００４５】
ここで、本実施例の弾性パネル２０２は、回動制限部材１２４及びハイバック１２０間に固定されているが、本発明の範囲を外れない限り、他の同様な構成を用いることができる。例えば、弾性パネル２０２を、回動制限部材と一体的に形成し、ハイバックに直接取り付けたり、ビンディング２００に取り外し可能に取り付けたりすることができる。
【実施例３】
【００４６】
本発明の実施例３を図５に示す。図５は、互いに向かい合うように配置されて固定された一対の側壁３０４（図５では、一方だけを示す）を備えたベース板３０２を有するビンディング３００の後側部分を示す側面図である。ここで、側壁３０４は、ベース板３０２と一体的に形成することもできるし、ベース板３０２に取り付けて固定することもできる。
【００４７】
本実施例のビンディング３００において、側壁３０４は、回動可能に配置されておらず、ハイバック３２０は、回動部材３０５を介して側壁３０４に対して回動可能に直接取り付けられている。本実施例では、実施例１，２で説明したヒールループは、必須ではない。ケーブル３２６は、一方の側壁３０４における中間位置３０３で固定された付属品から、ハイバック３２０の背面側に延びており、ロックレバー３３０と摺動可能に係合するとともに、対向する側の側壁３０４（不図示）に向かって延びている。
【００４８】
ロックレバー３３０は、図５の実線で示すロック位置と、図５の二点鎖線で示す開位置との間で移動可能となっている。一般的に、ケーブル３２６の効果的な長さは、例えば、位置３０３におけるネジ型の付属品を用いて調節可能である。これにより、ハイバック３２０の最大傾き角をコントロールするための機構が得られる。
【００４９】
ロックレバー１３０が開位置にある場合において、ハイバック３２０は、回動部材３０５周りにおいて、ベース板３０２から離れる方向（図５の時計方向）に回動することができる。これにより、使用者は、インステップストラップ１１０の下であって、ビンディング３００内にブーツを挿入することができる。
【００５０】
ロックレバー３３０の係合（ロック）や係合解除を容易に行わせるための機構は、基本的に図３に示す機構と同様である。特に、弾性パネル２０２は、ロックレバー３３０の基端（回動部分）から上方に延びている。コードガイド２０４は、パネル２０２の先端部に配置されている。また、コード２０６は、ロックレバー３３０の端部近傍に取り付けられており、コードガイド２０４を介して上方に延びている。
【００５１】
グリップ部材２１０は、コード２０６の他方の端部に取り付けられている。これにより、使用者は、図５の矢印８４で示すように、グリップ部材２１０を上方及び前方に引っ張ることで、ロックレバー３３０をロック位置に移動させることができる。
【００５２】
ビンディング３００との係合を解除するときには、使用者は、グリップ部材２１０を基本的に後側に引っ張ることにより、ロックレバー３３０を開位置に回動させることができる。これにより、ハイバック３２０を後側に回動させることができる。
【００５３】
ここで、ビンディング３００において、コード２０６に代えて、図１及び図２Ａ〜図２Ｃに示す弾性ストラップ１４０をハイバック３２０及びロックレバー３３０に取り付ければ、ロックレバー３３０の係合及び係合解除を容易に行うことができる。
【００５４】
本発明の好ましい実施例について説明したが、本発明の精神及び範囲を外れない限り、上述した実施例に対して様々な変更を行うことができる。
【図面の簡単な説明】
【００５５】
【図１】本発明の実施例であるスノーボードのビンディングを後側から見たときの斜視図である。
【図２Ａ】ハイバックが全開位置にあるときの、上記実施例であるスノーボードのビンディングを示す側面図である。
【図２Ｂ】ハイバックが部分的に閉位置にあるときの、上記実施例であるスノーボードのビンディングを示す側面図である。
【図２Ｃ】ハイバックがロック位置にあるときの、上記実施例であるスノーボードのビンディングを示す側面図である。
【図３】本発明の実施例２であるスノーボードのビンディングを示す斜視図である。
【図４Ａ】上記実施例２であるスノーボードのビンディングを示す側面図である。
【図４Ｂ】ハイバックが部分的に閉位置にあるときの、上記実施例２であるスノーボードのビンディングを示す側面図である。
【図４Ｃ】ハイバックがロック位置にあるときの、上記実施例２であるスノーボードのビンディングを示す側面図である。
【図５】本発明の実施例３であるスノーボードのビンディングを示す部分側面図である。
【符号の説明】
【００５６】
９０：ブーツ
１００：ビンディング
１０２：ベース板
１０４：側壁部材
１０８：トゥーストラップ
１１０：インステップストラップ
１１２：ヒールループ
１２０：ハイバック
１３０：ロックレバー
１４０：弾性ストラップ
２０２：弾性パネル
２０４：ガイド部材
２０６：弾性コード
【図１】
2006305329.tif 000003
【図２Ａ】
2006305329.tif 000004
【図２Ｂ】
2006305329.tif 000005
【図２Ｃ】
2006305329.tif 000006
【図３】
2006305329.tif 000007
【図４Ａ】
2006305329.tif 000008
【図４Ｂ】
2006305329.tif 000009
【図４Ｃ】
2006305329.tif 000010
【図５】
2006305329.tif 000011